(57)【特許請求の範囲】
【請求項１】
電話網とインターネットの両方に接続され、インターネットを介して受信した電子メール文書をファクシミリ転送する機能を有するインターネットファクシミリ装置の制御方法において、
ファクシミリ転送用の電子メール文書を受信した場合、当該受信した電子メール文書が暗号化されているか否かを判定し、
該判定により当該電子メール文書が暗号化されていると判定された場合、当該暗号化文書を復号化せず、そのまま画情報としてファクシミリ転送を実行する
ことを特徴とするインターネットファクシミリ装置の制御方法。
【請求項２】
前記受信した暗号化文書を復号化してからファクシミリ転送を実行するか、該暗号化文書を復号化せずそのままファクシミリプロトコル上の画情報としてファクシミリ転送を実行するかいずれかを送信元通信端末装置からのファクシミリ転送指示設定に応じて制御する
ことを特徴とする請求項１記載のインターネットファクシミリ装置の制御方法。
【請求項３】
前記暗号化された暗号化文書を送信する電子メールのヘッダ部分或いは電子メールの内容部分のいずれかに設定されている前記ファクシミリ転送指示設定に応じて前記ファクシミリ転送を制御する
ことを特徴とする請求項１または２記載のインターネットファクシミリ装置の制御方法。
【請求項４】
前記暗号化文書の暗号化には、
Ｓ／ＭＩＭＥ（Secure/Multipurpose Internet Mail Extension）またはＰＧＰ／ＭＩＭＥ（Pretty Good Privacy/Multipurpose Internet Mail Extension）の暗号化方式が採用される
ことを特徴とする請求項１乃至３いずれか記載のインターネットファクシミリ装置の制御方法。
【請求項５】
電話網とインターネットの両方に接続され、インターネットを介して受信した電子メール文書をファクシミリ転送する機能を有するインターネットファクシミリ装置において、
ファクシミリ転送用の電子メール文書を受信した場合、当該受信した電子メール文書が暗号化されているか否かを判定する判定手段と、
該判定手段により当該電子メール文書が暗号化されていると判定された場合、当該暗号化文書を復号化せず、そのまま画情報としてファクシミリ転送を実行する通信制御手段と
を具備することを特徴とするインターネットファクシミリ装置。
【請求項６】
前記通信制御手段は、
前記受信した暗号化文書を復号化してからファクシミリ転送を実行するか、該暗号化文書を復号化せずそのままファクシミリプロトコル上の画情報としてファクシミリ転送を実行するかいずれかを送信元通信端末装置からのファクシミリ転送指示設定に応じて制御する
ことを特徴とする請求項５記載のインターネットファクシミリ装置。
【請求項７】
前記通信制御手段は、
前記暗号化された暗号化文書を送信する電子メールのヘッダ部分或いは電子メールの内容部分のいずれかに設定されている前記ファクシミリ転送指示設定に応じて前記ファクシミリ転送を制御する
ことを特徴とする請求項５または６記載のインナーネットファクシミリ装置。
【請求項８】
前記暗号化文書の暗号化には、
Ｓ／ＭＩＭＥ（Secure/Multipurpose Internet Mail Extension）またはＰＧＰ／ＭＩＭＥ（Pretty Good Privacy/Multipurpose Internet Mail Extension）の暗号化方式が採用される
ことを特徴とする請求項５乃至７いずれか記載のインターネットファクシミリ装置。
【請求項９】
インターネットを介してインターネットファクシミリ装置に電子メール文書のファクシミリ転送を指示する機能を有する通信指示端末装置において、
前記インターネットファクシミリ装置に対して送信する電子メール文書を暗号化する暗号化手段と、
該暗号化手段により暗号化された暗号化文書を前記インターネットファクシミリ装置で復号化してからファクシミリ転送を実行するか、該暗号化文書を前記インターネットファクシミリ装置で復号化せずそのままファクシミリプロトコル上の画情報としてファクシミリ転送を実行するかのいずれかを指示する指示手段と
を具備することを特徴とする通信指示端末装置。
【請求項１０】
前記指示手段は、
前記暗号化された暗号化文書を送信する電子メールのヘッダ部分或いは電子メールの内容部分のいずれかに前記ファクシミリ転送指示を設定する
ことを特徴とする請求項９記載の通信指示端末装置。
【請求項１１】
前記暗号化文書の暗号化には、
Ｓ／ＭＩＭＥ（Secure/Multipurpose Internet Mail Extension）またはＰＧＰ／ＭＩＭＥ（Pretty Good Privacy/Multipurpose Internet Mail Extension）の暗号化方式が採用される
ことを特徴とする請求項９または１０記載の通信指示端末装置。
【発明の詳細な説明】
【０００１】
【発明の属する技術分野】
本発明は、インターネットファクシミリ装置およびその制御方法、ファクシミリ装置、通信指示端末装置に関し、特に、ＦＡＸ転送の中継機若しくはＦＡＸ通信上におけるセキュリティの確保を十分にし、送信側のオペレータが意図するセキュリティ通信を達成させることが可能なインターネットファクシミリ装置およびその制御方法、ファクシミリ装置、通信指示端末装置に関する。
【０００２】
【従来の技術】
近年、インターネットの急速な拡大により、通信コストの低減という観点からインターネットＦＡＸ装置なるものが現われてきている。
【０００３】
この種のインターネットＦＡＸ装置の機能においては、Ｅｍａｉｌ  ｔｏ  ＦＡＸ  Ｇａｔｅｗａｙ機能、すなわち、インターネットから受信した文書をＦＡＸにて転送する機能が存在する。
【０００４】
そして、このＥｍａｉｌ  ｔｏ  ＦＡＸ  Ｇａｔｅｗａｙ機能は、主に、ＦＡＸ通信で行うものを、通信コストの低減を目的に、中継路（長距離を想定）の部分にインターネットを利用して通信コストの低減を図るものである。勿論、ｉＦＡＸ機能がない相手端末に対して、通信を行なう場合にも有効な機能である。
【０００５】
ところで、近年、インターネットの急激な拡大と利用ユーザ数の爆発的な増大が広がってるが、インターネットのセキュリティに関する事柄が注目されている。すなわち、インターネットの不正利用、なりすまし、盗聴、踏み台、メール爆弾、スパム等、様々なトラブルに対する対処方法についてである。
【０００６】
さて、インターネットＦＡＸにおいても、同様に、セキュリティに関して重要視されるようになり、Ｓ／ＭＩＭＥ（Secure/Multipurpose Internet Mail Extension）またはＰＧＰ／ＭＩＭＥ（Pretty Good Privacy/Multipurpose Internet Mail Extension）の技術が利用され、暗号化や認証という事柄が注目されている。
【０００７】
ところが、従来、Ｅｍａｉｌ  ｔｏ  ＦＡＸ  Ｇａｔｅｗａｙ機能を実装するｉＦＡＸにおいては、Ｅｍａｉｌで受信した文書をＦＡＸ転送する際、上記Ｓ／ＭＩＭＥやＰＧＰ／ＭＩＭＥ等で添付文書が暗号化されていると、その暗号化された文書を、復号化してから転送先のＦＡＸに送信している。
【０００８】
このため、ＦＡＸ転送の中継機若しくはＦＡＸ通信上におけるセキュリティの確保が十分でなく、送信側のオペレータが意図するセキュリティ通信を達成させることができない。
【０００９】
【発明が解決しようとする課題】
上述の如く、従来、Ｅｍａｉｌ  ｔｏ  ＦＡＸ  Ｇａｔｅｗａｙ機能を実装するインターネットＦＡＸにあっては、Ｅｍａｉｌで受信した文書をＦＡＸ転送する際、Ｓ／ＭＩＭＥやＰＧＰ／ＭＩＭＥ等で添付文書が暗号化されていると、その暗号化された文書を復号化してから転送先のＦＡＸに送信しているため、ＦＡＸ転送の中継機若しくはＦＡＸ通信上におけるセキュリティの確保が十分でなく、送信側のオペレータが意図するセキュリティ通信を達成させることができないという不都合がある。
【００１０】
そこで、上記不都合を解消し、ＦＡＸ転送の中継機若しくはＦＡＸ通信上におけるセキュリティの確保を十分にし、送信側のオペレータが意図するセキュリティ通信を達成させることが可能なインターネットファクシミリ装置およびその制御方法、ファクシミリ装置、通信指示端末装置を提供することを目的とする。
【００１１】
【課題を解決するための手段】
上記目的を達成するために、請求項１の発明は、
電話網とインターネットの両方に接続され、インターネットを介して受信した電子メール文書をファクシミリ転送する機能を有するインターネットファクシミリ装置の制御方法において、ファクシミリ転送用の電子メール文書を受信した場合、当該受信した電子メール文書が暗号化されているか否かを判定し、該判定により当該電子メール文書が暗号化されていると判定された場合、当該暗号化文書を復号化せず、そのまま画情報としてファクシミリ転送を実行することを特徴とする。
【００１２】
また、請求項２の発明は、請求項１の発明において、
前記受信した暗号化文書を復号化してからファクシミリ転送を実行するか、該暗号化文書を復号化せずそのままファクシミリプロトコル上の画情報としてファクシミリ転送を実行するかいずれかを送信元通信端末装置からのファクシミリ転送指示設定に応じて制御することを特徴とする。
【００１３】
また、請求項３の発明は、請求項１または２の発明において、
前記暗号化された暗号化文書を送信する電子メールのヘッダ部分或いは電子メールの内容部分のいずれかに設定されている前記ファクシミリ転送指示設定に応じて前記ファクシミリ転送を制御することを特徴とする。
【００１４】
また、請求項４の発明は、請求項１乃至３いずれかの発明において、
前記暗号化文書の暗号化には、Ｓ／ＭＩＭＥ（Secure/Multipurpose Internet Mail Extension）またはＰＧＰ／ＭＩＭＥ（Pretty Good Privacy/Multipurpose Internet Mail Extension）の暗号化方式が採用されることを特徴とする。
【００１５】
また、請求項５の発明は、
電話網とインターネットの両方に接続され、インターネットを介して受信した電子メール文書をファクシミリ転送する機能を有するインターネットファクシミリ装置において、ファクシミリ転送用の電子メール文書を受信した場合、当該受信した電子メール文書が暗号化されているか否かを判定する判定手段と、該判定手段により当該電子メール文書が暗号化されていると判定された場合、当該暗号化文書を復号化せず、そのままファクシミリプロトコル上の画情報として扱ってファクシミリ転送を実行する通信制御手段とを具備することを特徴とする。
【００１６】
また、請求項６の発明は、請求項５の発明において、
前記通信制御手段は、前記受信した暗号化文書を復号化してからファクシミリ転送を実行するか、該暗号化文書を復号化せずそのままファクシミリプロトコル上の画情報としてファクシミリ転送を実行するかいずれかを送信元通信端末装置からのファクシミリ転送指示設定に応じて制御することを特徴とする。
【００１７】
また、請求項７の発明は、請求項５または６の発明において、
前記通信制御手段は、前記暗号化された暗号化文書を送信する電子メールのヘッダ部分或いは電子メールの内容部分のいずれかに設定されている前記ファクシミリ転送指示設定に応じて前記ファクシミリ転送を制御することを特徴とする。
【００１８】
また、請求項８の発明は、請求項５乃至７いずれかの発明において、
前記暗号化文書の暗号化には、Ｓ／ＭＩＭＥ（Secure/Multipurpose Internet Mail Extension）またはＰＧＰ／ＭＩＭＥ（Pretty Good Privacy/Multipurpose Internet Mail Extension）の暗号化方式が採用されることを特徴とする。
【００１９】
また、請求項９の発明は、
インターネットを介してインターネットファクシミリ装置に電子メール文書のファクシミリ転送を指示する機能を有する通信指示端末装置において、インターネットを介して受信した電子メール文書をファクシミリ転送する機能を有するインターネットファクシミリ装置に対して送信する電子メール文書を暗号化する暗号化手段と、該暗号化手段により暗号化された暗号化文書を前記インターネットファクシミリ装置で復号化してからファクシミリ転送を実行するか、該暗号化文書を前記インターネットファクシミリ装置で復号化せずそのままファクシミリプロトコル上の画情報としてファクシミリ転送を実行するかのいずれかを指示する指示手段とを具備することを特徴とする。
【００２０】
また、請求項１０の発明は、請求項９の発明において、
前記指示手段は、前記暗号化された暗号化文書を送信する電子メールのヘッダ部分或いは電子メールの内容部分のいずれかに前記ファクシミリ転送指示を設定することを特徴とする。
【００２１】
また、請求項１１の発明は、請求項９または１０の発明において、
前記暗号化文書の暗号化には、Ｓ／ＭＩＭＥ（Secure/Multipurpose Internet Mail Extension）またはＰＧＰ／ＭＩＭＥ（Pretty Good Privacy/Multipurpose Internet Mail Extension）の暗号化方式が採用されることを特徴とする。
【００２４】
【発明の実施の形態】
以下、本発明に係る実施の形態について添付図面を参照にして説明する。
【００２５】
図１は、本発明のインターネットファクシミリ（以下、単に「インターネットＦＡＸ」という。）装置１が適用されるネットワークの一構成例を示す概念図である。
【００２６】
図１に示すように、このネットワーク概念図においては、インターネットＦＡＸ装置１は、公衆交換網（ＰＳＴＮ）２を介してＧ３機等のファクシミリ装置（以下、単に「ＦＡＸ」という。）３ａ、３ｂと接続されるとともに、公衆交換網（ＰＳＴＮ）４を介し、インターネットサービスプロバイダ（ＩＳＰ）５、インターネット６を介してネットワークＡのルータ７１を介して他のｉＦＡＸ７５と、パーソナルコンピュータ（以下、単に「ＰＣ」という。）７３および７４（特許請求の範囲における「通信指示端末装置」に相当する。）と接続されてている。
【００２７】
ここで、インターネットＦＡＸ装置とは、従来、電話回線上で送受信していたＦＡＸデータをインターネットおよびイントラネットなどのＩＰネットワークを一部または全ての伝送路に利用して送受信したり、或いはＩＰネットワーク上でＦＡＸを送受信することが可能な機器である。
【００２８】
図２は、上記図１に示した本発明のインターネットＦＡＸ装置１のシステム構成を示す図である。
【００２９】
図２に示すように、このインターネットＦＡＸ装置１は、ＣＰＵ１０１、ＲＡＭ１０２、操作表示部１０３、読取部１０４、印字部１０５、画像処理部１０６、画像蓄積部１０７、システム制御部１０８、通信制御部１０９、ネットワーク制御部１１０、網制御部１１１、回線切換え制御部１１５がシステムバス１４を介して接続され、さらにファクシミリからの受信のためのモデム１１２とイーサネット（Ｅｔｈｅｒｎｅｔ）Ｉ／Ｆ１１３を具備している。
【００３０】
ここで、ＣＰＵ１０１は、インターネットＦＡＸ装置１全体の制御処理を行う。また、ＲＡＭ１０２は、インターネットＦＡＸ装置１の制御に用いる記憶装置である。また、操作表示部１０３は、インターネットＦＡＸ装置１を操作するものである。また、読取部１０４は、送信原稿を読み取るものである。また、画図処理部１０６は、符号化、復号化、拡大、縮小等の処理を行う部分である。また、画像蓄積部１０７は、画情報を格納する部分である。また、システム制御部１０８は、インターネットＦＡＸ全体を制御するプログラムであり、例えば、ＲＯＭ等から成る。また、通信制御部１０９は、電話網に適した通信を制御するためのものである。また、ネットワーク制御部１１０は、ネットワークに接続する通信を制御するためのものである。また、網制御部１１１は、網へ接続するためのものである。また、モデム１１２は、変復調装置であり、低速モードと高速モードを機能を備えている。また、ＥｔｈｅｒｎｅｔＩ／Ｆ１１３は、Ｅｔｈｅｒｎｅｔに接続するためのインターフェースである。また、システムバス１１４は、相互にデータのやり取りをするためのバスである。また、回線切換え制御部１１５は、複数の外部回線インタフェースと複数の内部通信回路を接続するためのものである。
【００３１】
そして、上記構成要素のＣＰＵ１０１〜網制御部１１１は、システムバス１１４を介して相互にデータの送受を行う。
【００３２】
また、通常のScan to E-mail送信の際には、操作表示部１０３より蓄積及び送信のパラメータが指示され、その指示に基づいて読取部１０４から画情報が読み込まれる。読み込まれた画情報は、画像蓄積部１０７に蓄積された後、システム制御部１０８の制御の元で、ＲＡＭ１０２をバッファとして用いて、画像処理部１０６を必要に応じて使いつつ処理を行い、画像蓄積部１０７の中の画像を送信に適した形式に変換し、最終的に、モデム１１２、網制御部１１１及び通信制御部１０９を介して電話網にファクシミリとして送出するか、又はネットワーク制御部１１０からイーサネットＩ／Ｆ１１３を経由してＥメール送信を行う。
【００３３】
図３は、上記図２に示したインターネットＦＡＸ装置１のファクシミリ（ＦＡＸ）転送制御の処理手順を示すフローチャートである。
【００３４】
図３に示すように、この処理は、インターネットＦＡＸ装置１において、ＦＡＸ転送用の電子メール文書が受信された場合（ステップＳ１０１）に開始される。
【００３５】
次いで、インターネットＦＡＸ装置１では、該受信文書が暗号化されているか否かが判定される（ステップＳ１０２）。
【００３６】
そして、この判定の結果、該受信文書が暗号化されていると判定された場合（ステップＳ１０２ＹＥＳ）、インターネットＦＡＸ装置１では、該受信文書の復号化処理を行わず、暗号化文書をＦＡＸプロトコル上の画情報として扱ってＦＡＸ転送が実行され（ステップＳ１０３）、その後、この処理が終了する。  なお、上記ステップＳ１０２の判定の結果、該受信文書が暗号化されていないと判定された場合（ステップＳ１０２ＮＯ）、インターネットＦＡＸ装置１では、通常のＦＡＸ転送処理が行われる。
【００３７】
この構成によると、Ｅｍａｉｌ  ｔｏ  ＦＡＸ  Ｇａｔｅｗａｙ機能を有するインターネットＦＡＸ装置１では、Ｅｍａｉｌで受信した文書をＦＡＸ転送する際、Ｓ／ＭＩＭＥやＰＧＰ／ＭＩＭＥ等で添付文書が暗号化されていた場合に、その暗号化された文書を、そのまま（暗号化されたまま）転送先のＦＡＸに送信するようにしていたため、ＦＡＸ転送の中継機若しくはＦＡＸ通信上におけるセキュリティの確保が十分となり、送信側のオペレータが意図するセキュリティ通信を達成させることが可能となる。また、この場合、中継機となるインターネットＦＡＸ装置１が、暗号化／復号化機能を有していなくても、転送先のＦＡＸマシンが備えていれば、システム全体としてセキュリティを確保できるので、全体としてのコストの低減に繋がる。また、同様に、中継機となるインターネットＦＡＸ装置１が、公開鍵、秘密鍵の管理をしなくても良いので、システム構成が小さくてすむ。
【００３８】
図４は、上記図３に示したインターネットＦＡＸ装置１のファクシミリ（ＦＡＸ）転送制御の他の実施の形態の処理手順を示すフローチャートであり、この場合は、通信指示端末装置（例えば、上記図１に示したＰＣ７３）からのＦＡＸ転送指示設定に応じてＦＡＸ転送を制御する場合の処理手順を示している。
【００３９】
図４に示すように、この処理は、インターネットＦＡＸ装置１において、ＦＡＸ転送用の電子メール文書が受信された場合（ステップＳ２０１）に開始される。
【００４０】
次いで、インターネットＦＡＸ装置１では、該受信文書が暗号化されているか否かが判定される（ステップＳ２０２）。
【００４１】
そして、この判定の結果、該受信文書が暗号化されていると判定された場合（ステップＳ２０２ＹＥＳ）、次いで、インターネットＦＡＸ装置１では、ＦＡＸ転送指示設定の解析が行われる（ステップＳ２０３）。なお、ここでいう、ＦＡＸ転送指示設定の解析とは、後述の図８に示すメールデータに挿入されているＦＡＸ転送指示コマンドの解析である。
【００４２】
そして、この解析の結果、「暗号化文書を復号化せず、そのままＦＡＸプロトコル上の画情報として扱ってＦＡＸ転送を実行する」旨のＦＡＸ転送指示が設定されているか否かが判定される（ステップＳ２０４）。
【００４３】
この判定の結果、「暗号化文書を復号化せず、そのままＦＡＸプロトコル上の画情報として扱ってＦＡＸ転送を実行する」旨のＦＡＸ転送指示が設定されていると判定された場合（ステップＳ２０４ＹＥＳ）、インターネットＦＡＸ装置１では、暗号化文書をＦＡＸプロトコル上の画情報として扱ってＦＡＸ転送が実行され（ステップＳ２０５）、その後、この処理を終了する。
【００４４】
また、上記ステップＳ２０４の判定の結果、「暗号化文書を復号化せず、そのままＦＡＸプロトコル上の画情報として扱ってＦＡＸ転送を実行する」旨のＦＡＸ転送指示が設定されていない、すなわち、「暗号化文書を復号化してからＦＡＸ転送を実行する」旨のＦＡＸ転送指示が設定されている場合、インターネットＦＡＸ装置１では、暗号化文書を復号化してからＦＡＸ転送が実行され（ステップＳ２０６）、その後、この処理を終了する。
【００４５】
なお、上記ステップＳ２０２の判定の結果、該受信文書が暗号化されていないと判定された場合（ステップＳ２０２ＮＯ）、インターネットＦＡＸ装置１では、通常のＦＡＸ転送処理が行われる。
【００４６】
図５は、上記図１に示した通信指示端末装置（例えば、上記図１に示したＰＣ７３）のＦＡＸ転送用メール文書の送信制御の処理手順を示すフローチャートである。
【００４７】
図５に示すように、この処理は、通信指示端末装置において、送信者によりＦＡＸ転送用メール文書の送信指示が行われた場合（ステップＳ３０１）に開始される。
【００４８】
次いで、通信指示端末装置では、該受信文書の暗号化の指示が行われているか否かが判定される（ステップＳ３０２）。
【００４９】
そして、この判定の結果、該受信文書の暗号化の指示が行われていると判定された場合（ステップＳ３０２ＹＥＳ）、通信指示端末装置では、該文書の暗号化処理が行われる（ステップＳ３０３）。
【００５０】
その後、通信指示端末装置では、送信者により後述の図７に示すＦＡＸ転送指示設定画面７３ａを用いて暗号化文書のＦＡＸ転送指示設定が行われているか否かが判定される（ステップＳ３０４）。
【００５１】
そして、この判定の結果、暗号化文書のＦＡＸ転送指示が行われていると判定された場合（ステップＳ３０４ＹＥＳ）、次いで、通信指示端末装置では、ＦＡＸ転送指示がメールヘッダ或いはメール内容部分のいずれかに設定（後述図８参照）され（ステップＳ３０５）、その後、この処理を終了する。
【００５２】
なお、上記ステップＳ３０２の判定の結果、該受信文書の暗号化指示が行われていないと判定された場合（ステップＳ３０２ＮＯ）、および上記ステップＳ３０４の判定の結果、暗号化文書のＦＡＸ転送指示設定が行われていないと判定された場合（ステップＳ３０４ＮＯ）、通信指示端末装置では、通常のＦＡＸ転送処理が行われる。
【００５３】
この構成によると、ＦＡＸ転送を指示する通信指示端末装置でメールヘッダやメール本文中に、暗号化を中継機にて処理（復号化）するか否かを設定できるようにしたため、送信側のオペレータが意図するセキュリティ通信を達成することが可能となる。
【００５４】
図６は、上記図１に示したＦＡＸ転送を受信するファクシミリ装置（例えば、ＦＡＸ３ａ）のＦＡＸ受信制御の処理手順を示すフローチャートである。
【００５５】
図６に示すように、この処理は、ファクシミリ装置において、ＦＡＸ受信が有りと判定された場合（ステップＳ４０１ＹＥＳ）に開始される。
【００５６】
次いで、ファクシミリ装置では、該受信した画情報部分が暗号化されているか否かが判定される（ステップＳ４０２）。
【００５７】
そして、この判定の結果、該受信した画情報部分が暗号化されていると判定された場合（ステップＳ４０２ＹＥＳ）、次いで、ファクシミリ装置では、上記暗号化されている画情報部分の復号化が行われる（ステップＳ４０３）。
【００５８】
この復号化された後、該復号化された画情報の印刷出力が行われ（ステップＳ４０４）、その後、この処理を終了する。
【００５９】
なお、上記ステップＳ４０２の判定の結果、該受信した画情報部分が暗号化されていないと判定された場合（ステップＳ４０２ＮＯ）、ファクシミリ装置では、通常のＦＡＸ受信処理が行われる。
【００６０】
この構成によると、ＦＡＸ転送による文書を受信するファクシミリ装置側で暗号化／復号化機能および公開鍵、秘密鍵の管理機能を備えるようにしたため、暗号化文書がそのままＦＡＸ転送されてきても、受信側のファクシミリ装置で復号化してプリントすることが可能となる。
【００６１】
図７は、上記図１に示した通信指示端末装置（例えば、上記図１に示したＰＣ７３）におけるＦＡＸ転送指示設定画面７３ａの一構成例を示す図である。
【００６２】
図７に示すように、このＦＡＸ転送指示設定画面７３ａでは、ファクシミリ（ＦＡＸ）転送用に暗号化した文書のファクシミリ（ＦＡＸ）転送指示を設定するための設定画面であり、暗号化文書を中継機（ｉＦＡＸ）で復号化してからファクシミリ（ＦＡＸ）転送を実行する旨指示するためのチェックボックスと、暗号化文書を中継機（ｉＦＡＸ）で復号化せず、そのままファクシミリ（ＦＡＸ）プロトコル上の画情報として扱ってファクシミリ（ＦＡＸ）転送を実行する旨指示するためのチェックボックスとを備えて構成されている。
【００６３】
なお、この実施例では、上記各チェックボックスの上部に「ファクシミリ（ＦＡＸ）転送用に暗号化した文書のファクシミリ（ＦＡＸ）転送指示を設定して下さい。」という指示情報が表示されている。
【００６４】
図８は、本発明の実施の形態に使用されるメールデータの一構成例を示す図であり、特に、この場合、中継機となるインターネットＦＡＸ１に対してファクシミリ（ＦＡＸ）転送指示を行うためのコマンドが挿入される様子を示している。
【００６５】
図８に示すように、本発明でのＦＡＸ転送指示のコマンドは、メールヘッダ部分（▲１▼）或いはメールの内容部分（▲２▼）のいずれかに挿入される。
【００６６】
そして、このＦＡＸ転送指示のコマンドには、暗号化文書を復号化してからファクシミリ転送を実行するよう指示するコマンド情報、または暗号化文書を復号化せず、そのままファクシミリプロトコル上の画情報として扱ってファクシミリ転送を実行するよう指示するコマンド情報の２種類がある。なお、上記メールの内容部分には、暗号化文書が挿入される。
【００６７】
【発明の効果】
以上説明したように、本発明によれば、ファクシミリ転送用の電子メール文書を受信した場合、当該受信した電子メール文書が暗号化されているか否かを判定し、該判定手段により当該電子メール文書が暗号化されていると判定された場合、当該暗号化文書を復号化せず、そのまま画情報としてファクシミリ転送を実行するようにしたため、ＦＡＸ転送の中継機若しくはＦＡＸ通信上におけるセキュリティの確保が十分となり、送信側のオペレータが意図するセキュリティ通信を達成させることが可能となる。
【図面の簡単な説明】
【図１】本発明のインターネットＦＡＸ装置が適用されるネットワークの一構成例を示す概念図。
【図２】図１に示した本発明のインターネットＦＡＸ装置のシステム構成を示す図。
【図３】図２に示したインターネットＦＡＸ装置のファクシミリ（ＦＡＸ）転送制御の処理手順を示すフローチャート。
【図４】図３に示したインターネットＦＡＸ装置のファクシミリ（ＦＡＸ）転送制御の他の実施の形態の処理手順を示すフローチャート。
【図５】図１に示した通信指示端末装置（例えば、上記図１に示したＰＣ）のＦＡＸ転送用メール文書の送信制御の処理手順を示すフローチャート。
【図６】図１に示したＦＡＸ転送を受信するファクシミリ装置（例えば、ＦＡＸ）のＦＡＸ受信制御の処理手順を示すフローチャート。
【図７】図１に示した通信指示端末装置（例えば、上記図１に示したＰＣ）におけるＦＡＸ転送指示設定画面の一構成例を示す図。
【図８】本発明の実施の形態に使用されるメールデータの一構成例を示す図。
【符号の説明】
１…インターネットＦＡＸ装置、２…公衆交換網（ＰＳＴＮ）、３ａ…ＦＡＸ（Ｇ３機）、３ｂ…ＦＡＸ（Ｇ３機）、４…公衆交換網（ＰＳＴＮ）、５…インターネットサービスプロバイダ（ＩＳＰ）、６…インターネット、Ａ…ネットワーク、７１…ルータ、７２…メールサーバ、７３…パーソナルコンピュータ（ＰＣ）、７４…パーソナルコンピュータ（ＰＣ）、７５…ｉＦＡＸ、１０１…ＣＰＵ、１０２…ＲＡＭ、１０３…操作表示部、１０４…読取部、１０５…印字部、１０６…画像処理部、１０７…画像蓄積部、１０８…システム制御部、１０９…通信制御部、１１０…ネットワーク制御部、１１１…網制御部、１１２…モデム、１１３…Ｅｔｈｅｒｎｅｔ  Ｉ／Ｆ、１１４…システムバス、１１５…回線切換え制御部、１０２ａ…短縮ダイヤル登録テーブル、７３ａ…ＦＡＸ転送指示設定画面
【図１】
0003855655.tif 000002
【図２】
0003855655.tif 000003
【図３】
0003855655.tif 000004
【図４】
0003855655.tif 000005
【図５】
0003855655.tif 000006
【図６】
0003855655.tif 000007
【図７】
0003855655.tif 000008
【図８】
0003855655.tif 000009